(57)【要約】【課題】送風装置等に使用される送風制御プログラムにおいて、より自然のゆらぎに感じる風と自然な香りを提供することを目的とする。【解決手段】空間へ気流を送風する際の時系列な風量変化として、小風量を送風する弱気流２１と、大風量を送風する強気流２２を交互に発生させるゆらぎ制御であって、弱気流２１から強気流２２へ移行する際の強気流移行風量２３の風量と、強上限風量２４との差を風量変化幅２５とし、風量変化幅２５を予め設定でき、強上限風量２４の間、香り発生手段（香料設置部５０及びシャッター５１）から導出する香りを強上限風量２４の風に同伴することを特徴とするものであり、これにより所期の目的を達成するものである。【選択図】図７
2018123685.tif 000002
【特許請求の範囲】
【請求項１】
小風量を送風する弱気流と、大風量を送風する強気流とを交互に発生させる送風制御を備えた送風装置であって、
香りを導出する香り発生手段を設け、
前記送風制御は、
前記弱気流から前記強気流へ移行する際の弱気流の風量である強気流移行風量と、前記強気流の最大風量である強上限風量との差である風量変化幅を予め設定可能とし、前記強気流の最大風量である強上限風量の間、前記香り発生手段から導出する香りを前記強上限風量の風に同伴することを特徴とする送風装置。
【請求項２】
小風量を送風する弱気流と、大風量を送風する強気流とを交互に発生させる送風制御を備えた送風装置であって、
香りを導出する香り発生手段を設け、
前記送風制御は、
前記弱気流から前記強気流へ移行する際の弱気流の風量である強気流移行風量と、前記強気流の最大風量である強上限風量との差である風量変化幅を予め設定可能とし、前記小風量を送風する弱気流の間、前記香り発生手段から導出する香りを前記弱気流に同伴することを特徴とする送風装置。
【請求項３】
小風量を送風する弱気流と、大風量を送風する強気流とを交互に発生させる送風制御を備えた送風装置であって、
香りを導出する香り発生手段を設け、
前記送風制御は、
前記弱気流から前記強気流へ移行する際の弱気流の風量である強気流移行風量と、前記強気流の最大風量である強上限風量との差である風量変化幅を予め設定可能とし、前記香り発生手段から導出する香りを前記弱気流及び前記強気流に同伴することを特徴とする送風装置。
【請求項４】
小風量を送風する弱気流と、大風量を送風する強気流とを交互に発生させる送風制御と、香りを導出する香り発生制御とを行うプログラムであって、
前記弱気流から前記強気流へ移行する際の弱気流の風量と、前記強気流の最大風量である強上限風量との差である風量変化幅を予め設定でき、前記強気流の最大風量である強上限風量の間、前記香りを導出して前記強上限風量の風に同伴することを特徴とする送風制御プログラム。
【請求項５】
小風量を送風する弱気流と、大風量を送風する強気流とを交互に発生させる送風制御と、香りを導出する香り発生制御とを行うプログラムであって、
前記弱気流から前記強気流へ移行する際の弱気流の風量と、前記強気流の最大風量である強上限風量との差である風量変化幅を予め設定でき、前記小風量を送風する弱気流の間、前記香りを導出して前記弱気流の風に同伴することを特徴とする送風制御プログラム。
【発明の詳細な説明】
【技術分野】
【０００１】
本発明は、送風量がゆらぐように空気を送風する送風装置および送風制御プログラムにおいて、香りを提供する装置に関する。
【背景技術】
【０００２】
室内空間の快適性を向上させるため、風、光、音、温熱環境について様々な検討が実施されている。例えば風に関して、人に好まれる風は１／ｆゆらぎに近い風であることが様々な文献において報告されており、広く知られている。これは、風量の変化を１／ｆゆらぎにすることで、自然の風のゆらぎに近づくため、一定風量の風よりも心地よさを与えられると考えられている。そこで、従来送風量に強弱を与えることで１／ｆゆらぎの送風を行う空気調和機がある（例えば、特許文献１参照）。
【０００３】
以下、その空気調和機の送風時の送風制御プログラムについて図１２を参照しながら説明する。
【０００４】
図１２に示すように、送風制御プログラム１０１は、１／ｆゆらぎでゆらぐ送風量に対応するファンの回転数の基本パターンに基づき、ファン回転数を変化させる第１送風パターン１０２と第２送風パターン１０３とから構成される。第１送風パターン１０２は、予め設定したファンの回転数の第１上限値１０４と第１下限値１０５との間で基本パターンに基づき、ファンの回転数を変化させるものである。一方で、第２送風パターン１０３は、第１送風パターン１０２よりもファンの回転数の振幅を小さくした第２上限値１０６と第２下限値１０７との間で基本パターンに基づき、前記ファンの回転数を変化させるものである。そして、第２送風パターン１０３が第１送風パターン１０２と第１送風パターン１０２との間に入るように設定されているものである。これにより、送風量の変化が小さい第２送風パターン１０４と、送風量の変化が大きい第１送風パターン１０３とを交互に組み合わせることで、第１送風パターンが連続で続く場合よりも、送風量の変化幅を小さくすることができ、理想的なファン送風量と実際のファンの送風量のズレを生じ難くするものである。
【０００５】
先行文献として下記特許文献１参照。
【先行技術文献】
【特許文献】
【０００６】
【特許文献１】特開２１１４−６６４８５号公報
【発明の概要】
【発明が解決しようとする課題】
【０００７】
上記従来例では、送風量の変化が小さい第２送風パターン１０４と送風量の変化が大きい第１送風パターン１０３とを交互に組み合わせることで、送風量の変化幅を小さくするゆらぎ制御について述べられている。しかし、従来例の課題として、第２送風パターンから第１送風パターン１０３へ移行する際、送風量の変化幅が小さくなることで、ユーザーが風速変化のない人工的な風と感じてしまう課題があった。
【０００８】
すなわち、上記従来例のゆらぎ制御プログラムにおいて、ユーザーが一定風速の人工的な風を浴びていると感じ、風の自然さを感じられないという課題があった。  そこで本発明は、上記従来例を解決するものであり、より自然なゆらぎを感じる風と自然な香りをユーザーに提供することを目的とする。
【課題を解決するための手段】
【０００９】
そして、この目的を達成するために、本発明は小風量を送風する弱気流と、大風量を送風する強気流とを交互に発生させる送風制御を備えた送風装置であって、香りを導出する香り発生手段を設け、前記送風制御は、前記弱気流から前記強気流へ移行する際の弱気流の風量である強気流移行風量と、前記強気流の最大風量である強上限風量との差である風量変化幅を予め設定可能とし、前記強気流の最大風量である強上限風量の間、前記香り発生手段から導出する香りを前記強上限風量の風に同伴することを特徴とするものであり、これにより所期の目的を達成するものである。
【発明の効果】
【００１０】
本発明によれば、小風量を送風する弱気流と、大風量を送風する強気流とを交互に発生させる送風制御を備えた送風装置であって、香りを導出する香り発生手段を設け、前記送風制御は、前記弱気流から前記強気流へ移行する際の弱気流の風量と、前記強気流の最大風量である強上限風量との差である風量変化幅を予め設定可能とし、前記強気流の最大風量である強上限風量の間、前記香り発生手段から導出する香りを前記強上限風量の風に同伴することにより、強上限風量の送風の間、風に香りを同伴させることができ、より自然なゆらぎと感じる風と自然を感じる香りをユーザーに提供することができる。また、強上限風量の風に香りを同伴させるため、高濃度の香りが風に同伴され、ユーザーが香りを明確に感じることができる。更に、人間の鼻はずっと同じ香りを嗅ぎ続けると嗅覚疲労を起こすが、強上限風量の風の間のみ香りが同伴されるため、嗅覚疲労の増加を抑制できる。
【図面の簡単な説明】
【００１１】
【図１】実施の形態１から３に係る送風装置の設置例を示す概念図。
【図２】実施の形態１から３に係る送風装置の構成例を示す正面図。
【図３】実施の形態１から３に係る送風装置のＡ−Ａ‘断面を示す断面図。
【図４】実施の形態１から３に係るモーターの制御系の構成を示す機能ブロック図。
【図５】実施の形態１から３に係る自然の風の風速変化を示すグラフ。
【図６】図５の一部を拡大したグラフ。
【図７】実施の形態１に係る送風装置の送風量変化を示すグラフ。
【図８】実施の形態１に係る送風装置に香りを提供する手段を設けた場合の構成例を示す断面図。
【図９】実施の形態１に係るモーター及び香りを提供するための制御系の構成を示す機能ブロック図。
【図１０】実施の形態２に係る送風装置の送風量変化を示すグラフ。
【図１１】実施の形態３に係る送風装置の送風量変化を示すグラフ。
【図１２】従来の空気調和機のファンの回転数波形を示すグラフ。
【発明を実施するための形態】
【００１２】
以下、本発明の実施の形態を図面に基づいて説明する。ただし、以下に示す実施の形態は、本発明の技術思想を具体化するための送風装置を例示するものであって、本発明は送風装置を以下のものに特定しない。また、特許請求の範囲に示される部材を、実施例の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００１３】
本発明の請求項１記載の送風装置は、小風量を送風する弱気流と、大風量を送風する強気流とを交互に発生させる送風制御を備えた送風装置であって、香りを導出する香り発生手段を設け、前記送風制御は、弱気流から強気流へ移行する際の弱気流の風量である強気流移行風量と、強気流の最大風量である強上限風量との差である風量変化幅を予め設定可能とし、前記強気流の最大風量である強上限風量の間、前記香り発生手段から導出する香りを前記強上限風量の風に同伴する。これにより、風速変化のない人工的な風であるとユーザーが感じることを防止し、自然の風に見られる大きな風速の変化を確実にユーザーに感じさせることができ、強上限風量の送風の間、風に香りを同伴させることができ、より自然なゆらぎと感じる風と自然を感じる香りをユーザーに提供することができる。また、強上限風量の風に香りを同伴させるため、高濃度の香りが風に同伴され、ユーザーが香りを明確に感じることができる。更に、人間の鼻はずっと同じ香りを嗅ぎ続けると嗅覚疲労を起こすが、強上限風量の風の間のみ香りが同伴されるため、嗅覚疲労の増加を抑制できるという効果を奏する。
【００１４】
また、小風量を送風する弱気流と、大風量を送風する強気流とを交互に発生させる送風制御を備えた送風装置であって、香りを導出する香り発生手段を設け、前記送風制御は、前記弱気流から前記強気流へ移行する際の弱気流の風量である強気流移行風量と、前記強気流の最大風量である強上限風量との差である風量変化幅を予め設定可能とし、前記小風量を送風する弱気流の間、前記香り発生手段から導出する香りを前記弱気流に同伴する。これにより、弱気流の間、風に香りを同伴させることができ、より自然なゆらぎと感じる風と自然を感じる香りをユーザー５に提供することができる。また、人間の鼻はずっと同じ香りを嗅ぎ続けると嗅覚疲労を起こすが、弱気流の間のみ、香りが同伴されるため、嗅覚疲労の増加を抑制できるという効果を奏する。
【００１５】
また、小風量を送風する弱気流と、大風量を送風する強気流とを交互に発生させる送風制御を備えた送風装置であって、香りを導出する香り発生手段を設け、前記送風制御は、前記弱気流から前記強気流へ移行する際の弱気流の風量である強気流移行風量と、前記強気流の最大風量である強上限風量との差である風量変化幅を予め設定可能とし、前記香り発生手段から導出する香りを前記弱気流及び前記強気流に同伴する。これにより、強上限風量の送風の間は風量が大きいため、沢山の香りがユーザーに届き、濃度の高い香りを提供でき、弱気流の送風の間は風量が小さいため、少量の香りがユーザーに届き、濃度の低い香りを提供することができる。また、複雑な機構を用いることなく、風の風量に応じた濃度の香りを風に同伴させることができ、より自然なゆらぎと感じる風と自然を感じる香りをユーザーに提供することができる。
【００１６】
（実施の形態１）
以下、本発明の実施の形態１について、図１から図７を参照しながら説明する。また、本発明の実施の形態２について、図１０を用いて説明し、本発明の実施の形態３について、図１１を用いて説明する。
【００１７】
図１は、本発明の実施の形態１に係る扇風機３の設置例を示す概念図である。図１に示すように、部屋１の床２上には、送風装置である扇風機３とソファ４が設置されている。また、扇風機３の正面にソファ４が配置されており、ソファ４上にユーザー５が座っている。扇風機３は、部屋１内の空気をユーザー５に向けて、自然のゆらぎのような風を送風し、ユーザー５に快適さと自然の風から感じる心地よさを提供する。
【００１８】
図２は、扇風機３の構成例を示す正面図である。扇風機３は、風を送風するためのプロペラファン６と、プロペラファン６を一定の高さに固定する支持体７とから構成されている。
【００１９】
図３は、扇風機３のＡ―Ａ‘断面を示す断面図である。プロペラファン６は、回転軸である回転体８と、回転体８に複数接続された回転することで空気中に圧力差を発生させる部材である翼９と、翼９とユーザー５が接触することを防止する部材であるガード１０と、回転体に動力を供給する動力部１１とから構成されている。また、動力部１１は回転体８に動力を供給するモーター１２と、モーター１２の回転数を制御する制御基板１３と、制御基板１３とモーター１２との間で信号の受け渡しを行う信号線１４とで構成されている。これらの構成により、扇風機３は制御基板１３から送信される信号に基づいて、モーター１２の回転数を変化させることで、ユーザー５に送風する風量を変化させている。
【００２０】
図４は、制御基板１３内部におけるモーター１２の制御系の構成を示すブロック図である。制御基板１３は、予め設定された時系列でモーター１２の回転数を変化させるプログラムであるゆらぎ制御プログラム１５を記憶するマイコン１６と、マイコン１６に記憶されたゆらぎ制御プログラム１５をモーター１２に出力する信号出力部１７とから構成されている。つまり、制御基板１３は、信号線１４を介してゆらぎ制御プログラム１５に基づいた信号をモーター１２に送ることで、モーター１２の回転数を時系列で変化させ、ユーザー５に送風する風量を変化させることができる。
【００２１】
このような構成により、本実施の形態において、制御基板１３は扇風機３から吹き出される風が、自然のゆらぎの風のようにユーザーが感じられるようにモーター１２を制御する。
【００２２】
ここで、自然の風の特徴について図５および図６を用いて説明する。図５は、自然の風を風速計により測定した場合に得られる風速の時系列変化を示すグラフである。また、図６は図５に示したＢ区間の拡大図である。
【００２３】
（特徴１）図５に示すように、自然の風の風速は、時系列で常に変化しており、その変化範囲は０．１ｍ／ｓから１．８ｍ／ｓである。
【００２４】
（特徴２））図５に示すように、風速が１．０ｍ／ｓを超えて大きい風速の波形である大波形１８が観測された周期は、１０ｓから３００ｓの範囲である。図６を用いて、さらに自然の風の詳細について述べる。
【００２５】
（特徴３）図６に示すように、自然の風の風速は、大波形１８と風速が１．０ｍ／ｓ以下の風速の波形である小波形１９とが交互に発生する構成となっている。
【００２６】
（特徴４）図６に示すように、小波形１９から大波形１８が発生する際の風速の変化量である風速変化幅２０は、０．４ｍ／ｓから１．２ｍ／ｓの範囲である。
【００２７】
前述した自然の風の特徴において、特に（特徴４）の風速変化幅２０が前述の範囲であることで、ユーザー５が明確に風速の変化を知覚し、風のゆらぎから自然の風を想起し、心地よいと感じるのである。
【００２８】
本実施の形態において、ゆらぎ制御プログラム１５は、前述した自然の風の（特徴１）から（特徴４）に基づいた風速の変化をユーザー５に与えられるように、モーター１２の回転数を変化させ、プロペラファン６から送風する風量を制御する。以下に本実施の形態に係る送風装置のゆらぎ制御について述べる。
【００２９】
図７は、本実施の形態１に係る扇風機３の風量変化を示すグラフである。図７に示すように、扇風機３は、風量が４００ｍ３／ｈで送風を行う弱気流２１と、風量が弱気流２１より大きく１０００ｍ３／ｈで送風を行う強気流２２とを交互に行う。このとき、扇風機３とユーザー５との距離が約２ｍの位置の場合に測定される風速が、弱気流２１では０．４ｍ／ｓであり、強気流２２では１．６ｍ／ｓである。また、弱気流２１と強気流２２の風量は、弱気流２１から強気流２２へ移行する際の弱気流２１の風量である強気流移行風量２３と、強気流２２の最大風量である強上限風量２４との差である風量変化幅２５に基づいて設定されている。風量変化幅２５は、前述した自然の風における風速変化幅２０を満たす範囲で設定されている。
【００３０】
本実施の形態では、１．２ｍ／ｓの風速変化幅２０を満たすように、弱気流２１の風量と強気流２２の風量とをそれぞれ設定した。したがって、自然の風に見られる風速変化幅２０を満たす風量変化幅２５に基づいて、弱気流２１と強気流２２とを交互に行うことで、風速変化のない人工的な風であるとユーザー５が感じることを防止し、自然の風に見られる大きな風速の変化を確実にユーザー５に感じさせることができる。これにより、自然なゆらぎを感じる風をユーザー５に提供することができる。
【００３１】
また、図７に示すように、強気流移行風量２３から強上限風量２４へ到達するまでに要する時間である増加時間２６を予め設定した。加えて、強上限風量２４から、強気流２２から弱気流２１へ移行する際の風量である弱気流移行風量２７まで到達するために必要な時間である減少時間２８も設定した。これにより、風量増加あるいは風量減少に要する時間が長いことで、ユーザー５が風速の変化に慣れてしまい、風速変化のない人工的な風に感じることを防止することができる。また、風量の増加および減少に要する時間が短いことで、風による刺激の強さが急激に変化し、驚いたユーザーが不快に感じることを防止する。このとき、増加時間２６および減少時間２８は５秒に設定した。
【００３２】
なお、信号線１４は、有線のコードを用いた接続のほか、無線通信を行っても良い。
【００３３】
なお、弱気流２１の風量は４００ｍ３／ｈに限定されるものではなく、強気流２２の風量も１０００ｍ３／ｈに限定されるものではない。
【００３４】
なお、本実施の形態では風速変化幅２０を１．２ｍ／ｓに設定したが、前述の自然の風の（特徴４）に基づき、０．４ｍ／ｓ以上、１．２ｍ／ｓ以下の値であれば好ましく、より好ましくは０．６ｍ／ｓ以上、１．２ｍ／ｓ以下である。
【００３５】
なお、増加時間２６および減少時間２８は５秒に限らずそれぞれ２秒以上、１５秒以下であることが好ましく、より好ましくは５秒以上、１０秒以下である。
【００３６】
次に、前述した自然のゆらぎを感じる風を提供する際に、自然の香りも併せて提供する場合について説明する。
【００３７】
図８は、実施の形態１に係る送風装置に香りを提供する手段を設けた場合のＡ−Ａ‘断面において、特にガード１０の裏に位置する動力部１１を示す断面図である。
【００３８】
図８において、図３に示した符号と同様の符号を付したものは、前述と同様の動作を行なう。図８では、動力部１１に、香り発生手段である、香料を設置しておく香料設置部５０と、香料設置部５０から外部へ香りを導出するためのシャッター５１とを設けている。また、動力部１１内の制御基板１３からは、制御基板１３とシャッター５１との間で信号の受け渡しを行う信号線１４を設けており、制御基板１３によりモーター１２の回転数及びシャッター５１の開閉を制御する。なお、香料設置部５０は、自然な香りである、花の香りや森の香り（フィトンチッド）等の香料を格納できるもので、動力部１１を覆うカバー外部から香料を簡単に挿入／交換できるようになっている。
【００３９】
これらの構成により、扇風機３は制御基板１３から送信される信号に基づいて、モーター１２の回転数を変化させることで、ユーザー５に送風する風量を変化させ、その風量変化に併せてシャッター５１を開閉させることで、香りの発生を変化させる。
【００４０】
図９は、制御基板１３内部におけるモーター１２及び香りを導出させるためのシャッター５１の制御系の構成を示す機能ブロック図である。
【００４１】
制御基板１３は、予め設定された時系列でモーター１２の回転数を変化させるプログラムであるゆらぎ制御プログラム１５を記憶するマイコン１６と、マイコン１６に記憶されたゆらぎ制御プログラム１５に基づいた信号をモーター１２に出力する信号出力部１７とから構成されている。また、マイコン１６には、モーター１２の回転数を変化に併せてシャッター５１を開閉するためのプログラムも、ゆらぎ制御プログラム１５として記憶し、信号出力部１７は、マイコン１６に記憶されたゆらぎ制御プログラム１５に基づいた信号をシャッター５１にも出力する。つまり、制御基板１３は、信号線１４を介してゆらぎ制御プログラム１５に基づいた信号をモーター１２及びシャッター５１に送ることで、モーター１２の回転数を時系列で変化させ、ユーザー５に送風する風量を変化させ、その風量変化に併せてシャッター５１を開閉させることで、香りの発生を変化させることができる。なお、シャッター５１の開閉は、両矢印（図８では上下方向）にシャッター５１が移動することにより、シャッター５１が下方向に移動すると“開”状態、シャッター５１が上方向に移動すると“閉”状態となる。このシャッター５１は、図示しない開閉用のモーターによりシャッター５１が“開”状態から“閉”状態、“閉”状態から“開”状態へ移動する。また、シャッター５１はシャッター機構として説明しているが、ダンパー機構として開閉状態を制御するようにしてもよい。
【００４２】
このような構成において、前述した図７に示すような風量の制御を行なった際、香りを発生させる場合について説明する。
【００４３】
制御基板１３は、図７における強上限風量２４の風量で送風している間、シャッター５１を“開”状態となるように信号出力部１７からシャッター５１へ信号を出力し、強上限風量２４の風量で送風しない場合には、シャッター５１を“閉”状態となるように信号出力部１７からシャッター５１へ信号を出力する。シャッター５１が“開”状態の場合、香料設置部５０に格納されている香料から、香りが破線矢印の方向に導出され、動力部１１の前方（破線矢印の方向）にある回転体８及び翼９（図３参照）によって、送風する風に香りを同伴させることができる。つまり、送風方向に香料を拡散することができる。なお、香料には、人が自然な香りと感じる森の香り（フィトンチッド）が使用されているものとする。
【００４４】
これにより、強上限風量の送風の間、風に香りを同伴させることができ、より自然なゆらぎと感じる風と自然を感じる香りをユーザーに提供することができる。また、強上限風量の風に香りを同伴させるため、高濃度の香りが風に同伴され、ユーザーが香りを明確に感じることができる。更に、人間の鼻はずっと同じ香りを嗅ぎ続けると嗅覚疲労を起こすが、強上限風量の風の間のみ、香りが同伴されるため、嗅覚疲労の増加を抑制できる。
【００４５】
また、制御基板１３は、図７における弱気流２１の風量で送風している間、シャッター５１を“開”状態となるように信号出力部１７からシャッター５１へ信号を出力し、弱気流２１で送風しない場合には、シャッター５１を“閉”状態となるように信号出力部１７からシャッター５１へ信号を出力するようにしてもよい。これにより、弱気流の間、風に香りを同伴させることができ、より自然なゆらぎと感じる風と自然を感じる香りをユーザーに提供することができる。また、人間の鼻はずっと同じ香りを嗅ぎ続けると嗅覚疲労を起こすが、弱気流の間のみ、香りが同伴されるため、嗅覚疲労の増加を抑制できる。
【００４６】
また、動力部１１内に、香り発生手段である、香料設置部５０及びシャッター５１を複数備え、香料設置部５０には夫々異なる香料が格納される構成とし、制御基板１３が、前述と同様のシャッター開閉動作を行い、図７における強上限風量２４の風量と、弱気流２１の風量とで、異なる香りを風に同伴させることができる。これにより、人間の鼻はずっと同じ香りを嗅ぎ続けると嗅覚疲労を起こすが、強上限風量と弱気流の風量とで、異なる香りが同伴されるため、嗅覚疲労の増加を抑制できる。
【００４７】
また、動力部１１内に、香り発生手段である、香料設置部５０及びシャッター５１を複数備え、香料設置部５０には夫々異なる香料が格納される構成を用い、制御基板１３のマイコン１６に時計機能を備えることにより、季節や時間帯に合わせて風に同伴される香りを変化させてもよい。
【００４８】
更に、扇風機３の外気に接する部分に温度センサー（図示しない）を備え、その温度センサーからの温度情報に基づき、温度に合わせて風に同伴される香りを変化させてもよい。この場合、例えば外気温度が３０℃以上であれば、人間が涼しさを感じるミントの香料でミントの香りを風に同伴させ、外気温度が１０℃以下であれば、人間が暖かさを感じる甘い香りの香料で甘い香りを風に同伴させ、外気温度が１０〜３０℃であれば、人間が自然な香りと感じる森の香り（フィトンチッド）を風に同伴させることにより、ユーザーに優しい風を提供することができる。
【００４９】
なお、本実施の形態１では、シャッター５１の開閉を、風量の切替に合わせて開閉するようになっているが、シャッター５１が“開”状態になって直後に香料設置部５０から香りが導出されにくいため、ゆらぎ制御プログラム１５において、香りを同伴させる風を発生する１秒前（この時間は、実験等により数値を設定することが望ましい）にシャッター５１を“開”状態とするようにしてもよい。
【００５０】
また、前述では、シャッター５１を設けて、風量の切替に合わせてシャッター５１の開閉するようになっているが、シャッターを備えることなく、常時に香料設置部５０から香りが導出されるようにした場合、風量によって濃度が異なる香りを提供することができる。例えば、強上限風量の送風の間は風量が大きいため、沢山の香りがユーザーに届き、濃度の高い香りを提供でき、弱気流の送風の間は風量が小さいため、少量の香りがユーザーに届き、濃度の低い香りを提供することができる。これにより、複雑な機構を用いることなく、風の風量に応じた濃度の香りを風に同伴させることができ、より自然なゆらぎと感じる風と自然を感じる香りをユーザーに提供することができる。
（実施の形態２）
以下、本発明の実施の形態２について、図１０を参照しながら説明する。
【００５１】
本発明の実施の形態２に係る扇風機３の構成は、図１から図４に示した実施の形態１のものと同様である。
【００５２】
本実施の形態においても、実施の形態１と同様にゆらぎ制御プログラム１５が、前述した自然の風の風速変化をユーザー５に与えられるように、モーター１２の回転数を変化させ、プロペラファン６から送風する風量を制御する。
【００５３】
図１０は、本発明の実施の形態２に係る扇風機３のゆらぎ制御による風量変化のグラフである。図１０に示すように、扇風機３は風量が８００ｍ３／ｈから４００ｍ３／ｈの範囲で送風を行う第２弱気流２９と、第２弱気流２９の最大風量より大きい風量である１０００ｍ３／ｈで送風を行う強気流２２とを交互に行う。強気流２２については、実施の形態１と同様であり、強上限風量２４は１０００ｍ３／ｈであり、増加時間２６および減少時間２８は５秒である。第２弱気流２９は、最大風量である弱上限風量３０と、最小風量である弱下限風量３１とで構成されるゆらぎ気流である。本実施の形態は、弱上限風量３０を８００ｍ３／ｈに設定し、弱下限風量３１を４００ｍ３／ｈに設定した一例である。この構成により、ユーザー５が強気流２２による風速の変化に加えて、弱気流２１の風速の変化も感じることができるため、ユーザー５はより自然なゆらぎを感じることができる。
【００５４】
また、本実施の形態では、強気流移行風量２３を弱下限風量３１に設定した。これにより、弱上限風量３０を強気流移行風量２３に設定した場合に、風量変化幅２５が小さくなり、風速変化のない人工的な風であるとユーザー５が感じることを防止できる。よって、風量変化幅２５を大きくすることで、強気流２２にて送風された風がユーザー５に到達した際、ユーザー５が自然の風に見られる大きな風速の変化を明確に感じることができるため、より自然なゆらぎを感じることができる。
【００５５】
なお、弱上限風量３０の風量は８００ｍ３／ｈに限定されるものではなく、弱下限風量３１の風量も４００ｍ３／ｈに限定されるものではない。
【００５６】
なお、強気流２２の風量は１０００ｍ３／ｈに限定されるものではない。
【００５７】
なお、強気流移行風量２３は、第２弱気流２９の弱下限風量３１以外でもよく、ユーザーの好みに応じて適宜設定できる構成としても良い。
【００５８】
また、実施の形態１と同様に、強上限風量２４の風量で送風している間、シャッター５１を“開”状態となるように信号出力部１７からシャッター５１へ信号を出力し、強上限風量２４の風量で送風しない場合には、シャッター５１を“閉”状態となるように信号出力部１７からシャッター５１へ信号を出力するようにしてもよい。これにより、強上限風量の送風の間、風に香りを同伴させることができ、より自然なゆらぎと感じる風と自然を感じる香りをユーザーに提供することができる。また、強上限風量の風に香りを同伴させるため、高濃度の香りが風に同伴され、ユーザーが香りを明確に感じることができる。更に、人間の鼻はずっと同じ香りを嗅ぎ続けると嗅覚疲労を起こすが、強上限風量の風の間のみ、香りが同伴されるため、嗅覚疲労の増加を抑制できる。
【００５９】
また、弱下限風量３１の風量で送風している間、シャッター５１を“開”状態となるように信号出力部１７からシャッター５１へ信号を出力し、弱気流２１で送風しない場合には、シャッター５１を“閉”状態となるように信号出力部１７からシャッター５１へ信号を出力するようにしてもよい。これにより、弱下限風量３１の風量で送風している間、風に香りを同伴させることができ、より自然なゆらぎと感じる風と自然を感じる香りをユーザーに提供することができる。（実施の形態３）
以下、本発明の実施の形態３について、図１１を参照しながら説明する。
【００６０】
本発明の実施の形態３に係る扇風機３の構成は、図１から図４に示した実施の形態１のものと同様である。
【００６１】
本実施の形態においても、実施の形態１と同様にゆらぎ制御プログラム１５が、前述した自然の風の風速変化をユーザーに与えられるように、モーター１２の回転数を変化させ、プロペラファン６から送風する風量を制御する。
【００６２】
図１１は、本発明の実施の形態３に係る送風装置のゆらぎ制御による風量変化のグラフである。図１１に示すように、扇風機３は風量が２００ｍ３／ｈから４００ｍ３／ｈの範囲で送風を行う第３弱気流３２と、第３弱気流３２の最大風量より大きい風量である１０００ｍ３／ｈで送風を行う強気流２２とを交互に行う。強気流２２については、実施の形態１と同様であり、強上限風量２４は１０００ｍ３／ｈであり、増加時間２６および減少時間２８は５秒である。第３弱気流３２は、最大風量である第３弱上限風量３３と、最小風量である第３弱下限風量３４とで構成されるゆらぎ気流である。本実施の形態は、第３弱上限風量３３を４００ｍ３／ｈと設定し、第３弱下限風量３４を２００ｍ３／ｈと設定した一例である。このとき、第３弱下限風量３４を２００ｍ３／ｈの場合、扇風機３とユーザー５との距離が約２ｍの位置で測定される風速は０．２ｍ／ｓである。
【００６３】
本実施の形態では、ゆらぎ制御プログラム１５を設定する際、風量変化幅２５が、前述した自然の風の風速変化幅２０を満たすように、強気流移行風量２３を弱上限風量３０と弱下限風量３１との間で可変に調整した。つまり、強気流移行風量２３を調整することで、ユーザー５に弱気流２１および強気流２２が到達した際、風速変化幅２０が（特徴４）にて前述した０．４ｍ／ｓ以上、１．２ｍ／ｓ以下となるように風量変化幅２５を調整する。これは、風速変化幅２０が０．４ｍ／ｓ未満の場合、ユーザー５が風速の変化を感じられず、風速が一定の人工的な風と感じてしまう。一方で、風速変化幅２０が１．２ｍ／ｓを超えて大きい場合、風による刺激の強さが急激に変化し、驚いたユーザーが不快に感じるおそれがある。図９において、仮に強気流移行風量２３を第３弱下限風量３４に設定した場合、強上限風量２４はユーザー５へ到達する風速が１．６ｍ／ｓであり、第３弱下限風量３４はユーザー５へ到達する風速が０．２ｍ／ｓであるため、風速変化幅２０は１．４ｍ／ｓとなり、前述した１．２ｍ／ｓを超える。このとき、風による刺激の強さが急激に変化し、驚いたユーザーが不快に感じるおそれがある。したがって、図９に示すように、強気流移行風量２３を第３弱上限風量３３に設定することで、風速変化幅２０を１．２ｍ／ｓに調整でき、ユーザー５はより自然なゆらぎを感じることができる。
【００６４】
なお、第３弱気流３２の第３弱上限風量３３の風量は８００ｍ３／ｈに限定されるものではなく、第３弱下限風量３４の風量も４００ｍ３／ｈに限定されるものではない。
【００６５】
なお、強気流２２の風量は１０００ｍ３／ｈに限定されるものではない。
【００６６】
また、実施の形態１と同様に、強上限風量２４の風量で送風している間、シャッター５１を“開”状態となるように信号出力部１７からシャッター５１へ信号を出力し、強上限風量２４の風量で送風しない場合には、シャッター５１を“閉”状態となるように信号出力部１７からシャッター５１へ信号を出力するようにしてもよい。これにより、強上限風量の送風の間、風に香りを同伴させることができ、より自然なゆらぎと感じる風と自然を感じる香りをユーザーに提供することができる。また、強上限風量の風に香りを同伴させるため、高濃度の香りが風に同伴され、ユーザーが香りを明確に感じることができる。更に、人間の鼻はずっと同じ香りを嗅ぎ続けると嗅覚疲労を起こすが、強上限風量の風の間のみ、香りが同伴されるため、嗅覚疲労の増加を抑制できる。
【００６７】
また、第３弱下限風量３４の風量で送風している間、シャッター５１を“開”状態となるように信号出力部１７からシャッター５１へ信号を出力し、弱気流２１で送風しない場合には、シャッター５１を“閉”状態となるように信号出力部１７からシャッター５１へ信号を出力するようにしてもよい。これにより、第３弱下限風量３４の風量で送風している間、風に香りを同伴させることができ、より自然なゆらぎと感じる風と自然を感じる香りをユーザーに提供することができる。
【産業上の利用可能性】
【００６８】
以上のように本発明にかかる送風装置およびゆらぎ制御プログラムは、より自然なゆらぎを感じる風と自然な香りをユーザーに提供することを可能とするものであるので、空気調和機、扇風機、天井扇等の送風機器全般に有用である。
【符号の説明】
【００６９】
１    部屋
２    床
３    扇風機
４    ソファ
５    ユーザー
６    プロペラファン
７    支持体
８    回転体
９    翼
１０    ガード
１１    動力部
１２    モーター
１３    制御基板
１４    信号線
１５    ゆらぎ制御プログラム
１６    マイコン
１７    信号出力部
１８    大波形
１９    小波形
２０    風速変化幅
２１    弱気流
２２    強気流
２３    強気流移行風量
２４    強上限風量
２５    風量変化幅
２６    増加時間
２７    弱気流移行風量
２８    減少時間
２９    第２弱気流
３０    弱上限風量
３１    弱下限風量
３２    第３弱気流
３３    第３弱上限風量
３４    第３弱下限風量
５０    香料設置部
５１    シャッター
【図１】
2018123685.tif 000003
【図２】
2018123685.tif 000004
【図３】
2018123685.tif 000005
【図４】
2018123685.tif 000006
【図５】
2018123685.tif 000007
【図６】
2018123685.tif 000008
【図７】
2018123685.tif 000009
【図８】
2018123685.tif 000010
【図９】
2018123685.tif 000011
【図１０】
2018123685.tif 000012
【図１１】
2018123685.tif 000013
【図１２】
2018123685.tif 000014